(57)【特許請求の範囲】
【請求項１】
コアが軸方向に進退可能なスライドコアと、電熱線が巻線され、スライドコアに装着されるスリーブコアよりなるエレクトロフュージョン継手成形用の金型において、スライドコアとスリーブコアを係脱可能に連結する連結手段と、スライドコアを進退させる作動手段と、スライドコアの後退途上で、かつスライドコアが一定量後退してスライドコア及びスリーブコアが成形品より抜け出てのちに連結手段に作用し、スライドコアとスリーブコアの連結を解除する解除手段とからなることを特徴とするエレクトロフュージョン継手成形用の金型。
【請求項２】
上記作動手段を金型の開閉に連動して作動させるようにしたことを特徴とする請求項１記載エレクトロフュージョン継手成形用の金型。
【発明の詳細な説明】
【０００１】
【発明が属する技術分野】
本発明は、プラスチック管による配管工事において用いられ、プラスチック管との接合面に電熱線をコイル状に埋設したソケット継手、エルボ継手、チーズ継手或いはキャップ継手などのエレクトロフュージョン継手を製造するための金型に関する。
【０００２】
【従来技術】
上下水道管やガス管として近年プラスチック管が普及しているが、こうしたプラスチック管による配管工事において、管を連結するための継手として近年エレクトロフュージョン継手が用いられるようになってきた。この継手は、管との接合面に電熱線をコイル状に埋設した成形品よりなり、プラスチック管を差込み後、電熱線へ通電することにより、接合面を加熱溶融して管との融着接合を行うようになっている。
【０００３】
こうしたエレクトロフュージョン継手は従来一般に図１に示すように、内部に一側２ａと他側２ｂを組合わせて分離可能に連結したコア２を配置した金型１を用い、各コア２ａ、２ｂに電熱線３（通常は被覆電熱線が用いられる）を巻付けたのち、金型内にセットしてゲート４よりキビティ５内に射出成形することにより製造していた。
【０００４】
上述する従来の製造法では、継手のサイズが大きくなると、コアの重量も大きくなり、取扱が困難で作業に危険性を伴うようになる。また継手を量産する場合、成形を終える都度、成形品よりコアを抜き、抜いたコアに電熱線を巻付ける作業が必要となり、次の成形が行われるまでの時間が長くなって生産性が低下する。コアを多数用意して予め電熱線を巻付けておき、成形を終える都度、電熱線を巻付けたコアを取換えるようにすれば、生産性は上がるが、コアを多数揃え、しかも各コアを内部で冷却できるようにすることはコスト高を招く。
【０００５】
上記の問題を解消するための継手製造法として、樹脂性のボビンを用い、このボビンに巻線したのちコアに装着して射出成形する方法、図２に示すようにコアを、それぞれが軸方向に進退できるようにしたスライドコア６ａ、６ｂと、各スライドコア６ａ、６ｂにそれぞれ嵌挿され、電熱線７が巻線されるスリーブコア８とより構成した金型を用い、射出成形する方法なども知られる。
【０００６】
【発明が解決しようとする課題】
ボビンを用いる前者の製造法においては、ボビンの成形と、このボビンを用いた継手の成形の二度の成形が必要であるのに対し、コアをスライドコアとスリーブコアより構成した金型を用いる後者の製造法においては、成形が一度で行われる利点があるが、成形後、継手を抜き取るのに金型を開いてスライドコアを後退させ、スリーブコアより離脱させたのち、成形品をスリーブコアごと金型より取出し、ついでこれをコア抜き機等にセットしてスリーブコアを抜き取らねばならなかった。
【０００７】
本発明は、コアがスライドコアとスリーブコアより構成される金型において、スライドコアとスリーブコアの抜取りを一度に行って継手製造の作業能率を向上させることができるようにしたものである。
【０００８】
【課題の解決手段】
すなわち本発明は、コアが軸方向に進退可能なスライドコアと、電熱線が巻線され、スライドコアに装着されるスリーブコアよりなるエレクトロフュージョン継手成形用の金型において、スライドコアとスリーブコアを係脱可能に連結する連結手段と、スライドコアを進退させる作動手段と、スライドコアの後退途上で、かつスライドコアが一定量後退してスライドコア及びスリーブコアが成形品より抜け出てのちに連結手段に作用し、スライドコアとスリーブコアの連結を解除する解除手段とからなるもので、成形終了後、作動手段によりスライドコアを抜く方向に後退させると、当初スライドコアと連結手段により連結されるスリーブコアもスライドコアと一体となって後退する。スライドコア及びスリーブコアが一定量後退して成形品より抜け出ると、解除手段が連結手段に作用してスリーブコアとスライドコアの連結を解除する。以後はスリーブコアを置き去りにしてスライドコアのみが後退し、スリーブコアより抜け出る。
【０００９】
本発明で用いられる連結手段、解除手段、作動手段には種々のものが考えられる。そのうちのいくつかを以下に例示する。
連結手段としては、例えばスライドコア或いはスリーブコアのいづれか一方に回動可能に軸支され、かつ他方に設けた掛止部に回動により係脱可能に係止する爪を備えた爪レバー、スライドコア或いはスリーブコアのいづれか一方に取着され、他方に設けた掛止部ないし掛止孔に進退により係脱可能に係止するピンを有するソレノイド、油空圧シリンダーなどが例として挙げられ、解除手段としては、例えば連結手段が爪レバーである場合、爪レバーに形成されたカムと、該カムに係合する固定ピンよりなり、コアと共に後退する爪レバーが一定量後退したとき、固定ピンに係合するカム作用によって爪レバーが回動し、爪が係止部より離脱するようにした機構、連結手段が例えばソレノイドや油空圧シリンダーである場合、リミットスイッチ或いは近接スイッチが例として挙げられる。これらスイッチはコアが一定量後退したとき、コア自体或いはコアに取着の作用部によってＯＮ操作され、これによりソレノイド或いは油空圧シリンダーが作動し、ピンを掛止部ないし掛止孔より離脱させる。
【００１０】
作動手段としては、油空圧シリンダー、モータを駆動源としてコアが進退する方向に一定量回動し、回転中心より離れた箇所に径方向に形成される長孔にスライドコアより突設されるピンを嵌合させたレバー、スライドコアのコアが進退する方向に傾斜する溝ないし孔に進退可能に嵌合する傾斜ピンが例として挙げられる。こうした作動手段は金型の開け閉めと関係なく作動させるようにしてもよいが、好ましくは金型の開閉に連動して作動するようにされる。連動させることにより金型を開け閉めするだけで、コアの抜き差しが行われるようになる。
【００１１】
したがて別の発明は、上記作動手段を金型の開閉に連動して作動させるようにしたことを特徴とする。
【００１２】
【発明の実施の形態】
スライドコアとスリーブコアよりなるコアは左右に分割されてその作動機構と共に左右対称形をなしており、左右対称の動作をするので、以下には簡単のため一方の側についてのみ説明する。
コア及びその作動機構の左側部分を示す図３において、スライドコア１１を固着支持するスライドブロック１２は、レール１３に案内されて図の左右方向に移動しうるようになっており、スライドブロック中央に左右に傾斜して形成される貫通孔１４に上下に分割された金型１５の上金型１５ａと一体をなして支持されるアンギュラピン１６が摺動可能に嵌合し、上金型１５ａを上下動して開け閉めすると、アンギュラピン１６が傾倒した貫通孔１４を上下動し、これによりスライドブロック１２を左右に移動、すなわち上金型１５ａを閉めるべく降下させて、アンギュラピン１６を降下させると、スライドブロック１２がスライドコア１１と共に図の右方向に前進し、逆に上金型１５ａを持ち上げてアンギュラピン１６を上昇させると、スライドブロック１２がスライドコア１１と共に図の左方向に後退するようになっている。
【００１３】
スライドブロック１２には、図の前後側に爪レバー１８が対称形をなして軸支され、爪レバー１８は金型１５に向かって突出する先端下部に爪１９を下向きに突出形成する一方、後側上部にテーパ部２１ａを含むカム２１を形成している。そして図示していないが、常にはバネにより図の時計方向に回動するように付勢されている。
【００１４】
スライドコア１１に嵌挿するスリーブコア２３は、図４に示すように鍔２３ａの前後に爪レバー１８の先端部が嵌合する凹所２４を対称形に形成し、凹所には底部にそれぞれ進行方向に傾斜させた傾斜部２５を形成している。図中、２７はスライドブロック１２を挟む前後のブラケット２８間に水平に横架され、爪レバー１８のカム２１に係合可能な固定ピンであり、２９はスリーブコア２３の鍔２３ａに係止し、スリーブコア２３の左方向への移動を止めるストッパーである。
【００１５】
本装置は以上のように構成され、成形後、図３の状態、すなわち爪レバー先端部がスリーブコア２３の凹所２４に嵌合し、爪レバー１８を図の時計方向に回動するように付勢するバネの作用により爪１９が鍔２３ａに係止してスリーブコア２３をスライドブロック１２及びスライドコア１１に連結した状態より上金型１５ａを持ち上げると、これと共にアンギュラピン１６が図の矢印方向に上昇し、これによりスライドブロック１２をスライドコア１１とスライドブロック１２と一体のスリーブコア２３と共に、図の左方向に後退させる。一定量後退してスライドコア１１及びスリーブコア２３が共に継手３１より抜け出したとき、爪レバー１８のテーパ部２１ａが固定ピン２７に係合し、爪レバー１８がなおも後退すると、爪レバー後端部はバネの作用に抗して固定ピン２７に押し下げられた状態となって、先端の爪１９を鍔２３ａより持上げ離脱させる（図５）。これによりスライドブロック１２とスリーブコア２３の連結が解除され、スリーブコア２３は鍔２３ａがストッパー２９に係止して停止する。スライドブロック１２とスリーブコア２３の連結が解除されたのち、アンギュラピン１６が更に上昇すると、スリーブコア２３を残してスライドブロック１２とスライドコア１１とが図の左方向に後退する。これと共に固定ピン２７の係合箇所は爪レバー１８の軸支点に向かって移動する。図示する例においては、爪レバー１８に形成されるカム２１のリフトが軸支点に向かって小さくなっているため、固定ピン２７の係合箇所が軸支点に向かって移動するにつれ、爪レバー先端が若干下がるようになるが、下がるようにしなくてもよい。すなわち爪１９が持ち上げられて鍔２３ａより離脱した姿勢を維持されるようにしてもよい。アンギュラピン１６が上昇して上限に達すると、スライドコア１１はスリーブコア２３より離脱する（図６）。こうして成形後、継手３１及びスリーブコア２３が取外し可能となる。
【００１６】
成形時には、上金型１５ａを下げて閉じると、上記と逆に先ずスライドブロック１２及びスライドコア１１が図の右方向に前進し、爪レバー１８の爪１９が、巻線し金型にセットされたスリーブコア２３の鍔２３ａの傾斜部２５に当たり持ち上がる。鍔の凹部２４を過ぎると、爪１９がバネの作用により下方に回動し、鍔２３ａに係止する。
上記実施形態では、爪レバー１８をバネの作用により図の時計方向に回動するように付勢すると共に、その先端に爪１９を下向きに突出形成し、爪１９が鍔２３ａの傾斜部２５に当たって持ち上げられたのち、鍔の凹所下端に係止するようになっているが、爪レバーをバネにより逆に反時計方向に回動するように付勢すると共に、その先端に爪１９を上向きに突出形成し、傾斜部２５を凹所上端に形成して爪１９が凹所２４の上端に係止するようにしてもよい。
【００１７】
【発明の効果】
本発明は以上のように構成され、次のような効果を奏する。
請求項１記載の金型によれば、スライドコアの抜取りとスリーブコアの抜取りが一度に行われ、従来別々に行っていたのに比べ、継手製造の作業能率が向上する。
【００１８】
請求項２記載の金型によれば、金型を開けるのに連動してスライドコアとスリーブコアの抜取りを行うことができ、作業効率がより向上する。
【図面の簡単な説明】
【図１】従来の金型の一例を示す断面図。
【図２】従来の金型の別の例を示す断面図。
【図３】本発明に係わる金型の要部を示す図で、金型を閉じたときの状態を示す。
【図４】スリーブコアの側面図。
【図５】コアを継手より引き出した状態を示す図。
【図６】スライドコアをスリーブコアより引き出した状態を示す図。
【符号の説明】
１、１５・・金型              ２、２ａ、２ｂ・・コア
３、１７・・電熱線            ４・・ゲート
５・・キビティ                ６ａ、６ｂ、１１・・スライドコア
８、２３・・スリーブコア      １２・・スライドブロック
１３・・レール                １４・・貫通孔
１５ａ・・上金型              １６・・アンギュラピン
１８・・爪レバー              １９・・爪
２１・・カム                  ２１ａ・・テーパ部
２３ａ・・鍔                  ２４・・凹所
２５・・傾斜部                ２７・・固定ピン
２８・・ブラケット            ３１・・継手
【図１】
0003595410.tif 000002
【図２】
0003595410.tif 000003
【図３】
0003595410.tif 000004
【図４】
0003595410.tif 000005
【図５】
0003595410.tif 000006
【図６】
0003595410.tif 000007